(57)【要約】【課題】デジタルカメラで撮影したままの真正な画像であることを確保するべく取り扱われたきた画像データに対して、不用意に改変を加えずに処理できるようにする。【解決手段】入力された画像データを画像処理する画像処理演算部ＩＰと、操作者からの画像処理条件の入力操作を受付ける入力操作受付部ＩＭとが備えられた画像処理装置において、ＲＡＷ画像ファイルにＲＡＷ画像に改変が加えられていないことを確認するための補助データが存在するときに、入力操作受付部ＩＭからの入力操作に基づく画像処理を禁止する。【選択図】図１
2009253707.tif 000002
【特許請求の範囲】
【請求項１】
入力された画像データを画像処理する画像処理演算部と、操作者からの画像処理条件の入力操作を受付ける入力操作受付部と、その入力操作受付部から入力された前記画像処理条件によって前記画像処理演算部にて画像処理させる画像処理管理手段とが備えられた画像処理装置であって、
前記画像処理管理手段は、入力された画像データがＲＡＷ画像ファイルの画像データであり、且つ、前記ＲＡＷ画像ファイル内に格納される状態で又は前記ＲＡＷ画像ファイルに添付される状態で、前記ＲＡＷ画像ファイルのＲＡＷ画像に改変が加えられていないことを確認するための補助データが存在するときに、前記入力操作受付部からの入力操作に基づく前記画像処理条件での前記画像処理演算部の前記ＲＡＷ画像に基づく画像に対する画像処理を禁止するように構成されている画像処理装置。
【請求項２】
前記画像処理管理手段は、入力された画像データがＲＡＷ画像ファイルの画像データであり、且つ、前記ＲＡＷ画像ファイル内に格納される状態で又は前記ＲＡＷ画像ファイルに添付される状態で、前記ＲＡＷ画像ファイルのＲＡＷ画像に改変が加えられていないことを確認するための補助データが存在するときに、前記補助データに基づいて、前記ＲＡＷ画像データに改変が加えられていないことを確認すると共に、改変が加えられていないことを確認できたときに、改変が加えられていないこと示す情報を、前記画像処理演算部で画像処理された画像データに添付する状態で、あるいは、前記画像処理演算部で画像処理された画像に画像合成する状態で出力するように構成されている請求項１記載の画像処理装置。
【発明の詳細な説明】
【技術分野】
【０００１】
本発明は、入力された画像データを画像処理する画像処理演算部と、操作者からの画像処理条件の入力操作を受付ける入力操作受付部と、その入力操作受付部から入力された前記画像処理条件によって前記画像処理演算部にて画像処理させる画像処理管理手段とが備えられた画像処理装置に関する。
【背景技術】
【０００２】
かかる画像処理装置は、例えば、下記特許文献１に例示するような画像プリントシステムに搭載して使用される装置である。
この種のシステムでは、操作者が画像補正の処理条件を適宜に入力操作して、形成する画像の画像品質を向上させることが一般的に行われており、搭載する画像処理装置もそのような入力操作に対応する必要がある。
一方、処理対象となる画像データの供給源の１つとして、いわゆるデジタルカメラが広く普及して来ている。
デジタルカメラによる撮影画像は、通常ＪＰＥＧフォーマットの画像ファイルとして保存される場合が多いが、近年、下記特許文献２にも記載のような、いわゆるＲＡＷ画像と称されるデジタルカメラの撮像素子の検出信号をそのまま未加工で出力できる機能を備えるものが増えている。
画像処理装置では、正式に仕様が定められているＪＰＥＧフォーマットの画像を処理できるのはもちろんであるが、仕様がメーカー間でまちまちのＲＡＷ画像についても取り扱えるように開発が進んできている。
そのような装置では、他の画像保存形態と同様にＲＡＷ画像についても、操作者による画像補正の入力操作を受け入れて画質向上を図れるようにしている。
【特許文献１】特開２００４−５３８８１号公報
【特許文献２】特開２００７−７４３６５号公報
【発明の開示】
【発明が解決しようとする課題】
【０００３】
ところで、ＲＡＷ画像は未加工の生データであることから、例えば何らかの証拠写真のように、人による意図的な改変を加えられていない画像データを必要とされる用途に利用することが有効である。
すなわち、現状では、便利なデジタルカメラが普及している今日でも、例えば事故現場の証拠写真のような用途では、依然として写真フィルムでの撮影画像が使用されている。
デジタルカメラによる撮影画像はデジタル画像データとして出力されるので、画像処理によって画像の恣意的な改変が可能であり、上記のような証拠写真として使用するに足る信頼性を有していないと考えられているのである。
この点、未加工の生データであるＲＡＷ画像であればそのような懸念が軽減され、利便性の高いデジタルカメラを使用して撮影した画像を、証拠写真のような用途に利用することが期待されるのである。
更に、このような用途においては、上記特許文献２に記載のように、例えば対象となる画像データのハッシュ値を求めてＲＡＷ画像に添付することで、ＲＡＷ画像が改変されていないことを確認できるようにしている。
このようなＲＡＷ画像を従来の画像処理装置で処理すると、せっかくデジタルカメラで撮影したままの真正な画像であることを確保するべく取り扱われたきた画像データに対して、操作者が何も知らずに画質改善を目的として画像の補正処理を指示し、画像を改変してしまう場合も考えられる。
本発明は、かかる実情に鑑みてなされたものであって、その目的は、デジタルカメラで撮影したままの真正な画像であることを確保するべく取り扱われたきた画像データに対して、不用意に改変を加えずに画像処理できるようにする点にある。
【課題を解決するための手段】
【０００４】
本出願の第１の発明は、入力された画像データを画像処理する画像処理演算部と、操作者からの画像処理条件の入力操作を受付ける入力操作受付部と、その入力操作受付部から入力された前記画像処理条件によって前記画像処理演算部にて画像処理させる画像処理管理手段とが備えられた画像処理装置において、前記画像処理管理手段は、入力された画像データがＲＡＷ画像ファイルの画像データであり、且つ、前記ＲＡＷ画像ファイル内に格納される状態で又は前記ＲＡＷ画像ファイルに添付される状態で、前記ＲＡＷ画像ファイルのＲＡＷ画像に改変が加えられていないことを確認するための補助データが存在するときに、前記入力操作受付部からの入力操作に基づく前記画像処理条件での前記画像処理演算部の前記ＲＡＷ画像に基づく画像に対する画像処理を禁止するように構成されている。
【０００５】
すなわち、入力されてきた画像データがＲＡＷ画像ファイルの画像データであり、且つ、ＲＡＷ画像ファイル内に格納される状態で又は前記ＲＡＷ画像ファイルに添付される状態で、前記ＲＡＷ画像ファイルのＲＡＷ画像に改変が加えられていないことを確認するための補助データが存在するときには、そのＲＡＷ画像に対して操作者の意思によって画像補正されるのを阻止するのである。
尚、前記入力操作受付部からの入力操作に基づく前記画像処理条件での前記画像処理演算部の前記ＲＡＷ画像に基づく画像に対する画像処理を禁止するためには、前記入力操作受付部からの入力操作をできないようにしても良いし、前記入力操作受付部から操作者が画像処理条件を入力操作してもその入力操作を無視するようにしても良い。
【０００６】
又、本出願の第２の発明は、上記第１の発明の構成に加えて、前記画像処理管理手段は、入力された画像データがＲＡＷ画像ファイルの画像データであり、且つ、前記ＲＡＷ画像ファイル内に格納される状態で又は前記ＲＡＷ画像ファイルに添付される状態で、前記ＲＡＷ画像ファイルのＲＡＷ画像に改変が加えられていないことを確認するための補助データが存在するときに、前記補助データに基づいて、前記ＲＡＷ画像データに改変が加えられていないことを確認すると共に、改変が加えられていないことを確認できたときに、改変が加えられていないこと示す情報を、前記画像処理演算部で画像処理された画像データに添付する状態で、あるいは、前記画像処理演算部で画像処理された画像に画像合成する状態で出力するように構成されている。
すなわち、処理対象のＲＡＷ画像に改変が加えられていないことを確認すると、その旨を画像と共に出力して、画像が真正なものであることを表示する。
【発明の効果】
【０００７】
上記第１の発明によれば、ＲＡＷ画像ファイルのＲＡＷ画像に改変が加えられていないことを確認するための補助データが存在するときには、そのＲＡＷ画像に対して操作者の意思によって画像補正されるのを阻止するので、デジタルカメラで撮影したままの真正な画像であることを確保するべく取り扱われたきた画像データに対して、不用意に改変を加えずに処理できるものとなった。
又、上記第２の発明によれば、ＲＡＷ画像から生成した画像が真正なものであることを確認できるので、処理後の画像を安心して何らかの証明等の種々の用途に利用できる。
【発明を実施するための最良の形態】
【０００８】
以下、本発明の画像処理装置を画像プリントシステムに備えた場合の実施の形態を図面に基づいて説明する。
〔画像プリントシステムの構成〕
本実施の形態で例示する画像プリントシステムＤＰは、いわゆるデジタルミニラボシステムとして知られているものであり、図１のブロック図に示すように、現像処理済みの写真フィルム，メモリーカードあるいはＣＤ−Ｒメディア等から画像データを取込む画像入力部ＩＲと、画像入力部ＩＲにて取込んだ画像データを画像形成部材ＳＥの一例である印画紙１にプリント形成するプリント処理部ＥＰとが備えられて構成されている。
【０００９】
〔画像入力部ＩＲの概略構成〕
画像入力部ＩＲには、図１に概略的に示すように、写真フィルムの駒画像を読み取るフィルムスキャナ２と、パーソナルコンピュータにて構成される制御装置３とが備えられている。
制御装置３には、メモリーカードリーダ及びＣＤ−Ｒ／ＲＷドライブ等を備えた外部入出力装置３１と、仕上がりプリント画像をシミュレートしたシミュレート画像や各種の制御用の情報を表示するモニタ３２と、操作卓３３及びマウス３４とが接続されている。
外部入出力装置３１は、備えられている各ドライブから画像データの取込みが可能であると共に、各ドライブに対応した記録媒体に画像データ等を記録可能である。
制御装置３は、詳しくは後述するが、フィルムスキャナ２あるいは外部入出力装置３１から取り込んだ画像データに対して色補正やシャープネスその他の各種の補正処理を行い、プリント処理用の画像データとしてプリント処理部ＥＰへ送る。
更に、図示を省略するが、制御装置３とデジタルカメラとを通信インターフェースを介して直接に接続することが可能であり、デジタルカメラに記録保存されている画像データを制御装置３へ取り込んで、外部入出力装置３１等から取り込んだ画像データと同様に取り扱うことができる。
【００１０】
〔プリント処理部ＥＰの全体構成〕
図１に示すように、プリント処理部ＥＰは、筐体内部に、画像形成装置ＥＸと、画像形成装置ＥＸにて露光形成された印画紙１を現像処理する現像処理装置ＰＰと、筐体内に配置された印画紙マガジン１１から引き出された印画紙１を多数の搬送ローラ１２等にて現像処理装置ＰＰへ搬送する印画紙搬送系ＰＴとが設けられている。
図示を省略するが、プリント処理部ＥＰの筐体外部には、現像処理装置ＰＰにて現像処理及び乾燥処理された印画紙１をオーダー毎に分類するためのソータが備えられ、現像処理装置ＰＰの排出口から排出された印画紙１をコンベア１３にてソータへ搬送する。
更に、印画紙搬送系ＰＴの搬送経路の途中には、印画紙マガジン１１から引き出された長尺の印画紙１を設定プリントサイズに切断するカッタ１４と、印画紙１を複数の搬送列に振り分けるための振り分け装置１５とが備えられている。
【００１１】
〔画像形成装置ＥＸの構成〕
画像形成装置ＥＸは、印画紙１上に露光画像を形成する画像形成ヘッド２１と、画像形成ヘッド２１を制御する露光制御装置２２とを主要部として構成されている。
画像形成ヘッド２１は、設定プリントサイズに切断された印画紙１の搬送経路の途中箇所を画像形成位置とするように取り付けられ、その画像形成位置において印画紙搬送方向（副走査方向）と直交する方向（主走査方向）でレーザビームを走査する。
画像形成ヘッド２１から出射されるレーザビームは、露光制御装置２２の制御により、画像入力部ＩＲの制御装置３から専用通信ラインで入力された画像データに基づいて強度変調されている。
印画紙搬送系ＰＴにて搬送駆動される印画紙１に対して上述のように強度変調されたレーザビームが走査されることで、印画紙１上に画像が露光形成され、それが現像処理装置ＰＰにて現像処理されると写真プリントとして仕上がる。
【００１２】
〔プリント処理の概要〕
次ぎに、上記構成の画像プリントシステムＤＰにおけるプリント処理の概要を、画像入力部ＩＲの制御装置３が実行する図４及び図５のフローチャートに基づいて説明する。
図４及び図５の処理は、画像入力部ＩＲの外部入出力装置３１にデジタルカメラの撮影画像を記録保存したメモリーカード等の記録媒体がセットされて、その記録媒体の記録画像を読取ってプリント処理する場合の処理を示しているが、一般の写真プリントの作製のための処理ではなく、プリント出力したものをなんらかの「証拠写真」として利用するものとして、制御装置３の動作設定を行った場合の処理である。
【００１３】
操作者が、外部入出力装置３１にメモリーカード等の記録媒体をセットし、画像の入力元をその記録媒体をセットしたドライブに指定した状態で、操作卓３３からプリント処理の開始を指示入力すると、制御装置３は図４の処理を開始する。
記録媒体には１つの撮影画像で１つの画像ファイルを構成する形で複数の画像ファイルが記憶保持されており、先ず、その画像ファイルを１つずつ読み込んでいく（ステップ＃１）。
画像ファイルを読み込むと、それのファイル形式からＲＡＷ画像を保存したＲＡＷ画像ファイルであるか否かを判別して（ステップ＃２）、ＲＡＷ画像ファイルであれば、そのファイル中にＲＡＷ画像のハッシュ値が保存されているか否かを確認する（ステップ＃３）。
ＲＡＷ画像はデジタルカメラの撮像素子の検出データそのままの画像データで構成される画像であり、又、デジタルカメラの機能として、そのＲＡＷ画像の画像データのハッシュ値を適宜のハッシュ関数によって求めて、求めたハッシュ値をＲＡＷ画像の画像データと共にＲＡＷ画像ファイル中に格納させる機能を有している。
このハッシュ値は、ＲＡＷ画像ファイル中のＲＡＷ画像に改変が加えられていないことを確認するための補助データであり、このハッシュ値を利用して、デジタルカメラにて被写体を撮影した生データであるＲＡＷ画像に改変が加えられていないことを確認することができる。
ハッシュ値が存在するか否かは、ＲＡＷ画像ファイル中に、ハッシュ値が保持されていることを示す識別コードが存在するか否かによって確認できる。
ハッシュ値が存在するときは（ステップ＃３）、その画像を操作者による画像補正を禁止する補正不可画像に設定して、その設定情報を記憶する（ステップ＃４）。
【００１４】
次ぎに、読み込んだＲＡＷ画像ファイル中のＲＡＷ画像の画像データについて、指定されているハッシュ関数でハッシュ値を求め、ＲＡＷ画像ファイル中のハッシュ値と比較して一致するか否かを調べる（ステップ＃５）。
一致すれば、デジタルカメラで撮影されたままのＲＡＷ画像であり、改変されていない画像であることを情報として記憶する（ステップ＃６）。
一方、一致しなければ、改変された画像であることを情報として記憶する（ステップ＃７）。
尚、ＲＡＷ画像ファイル中のハッシュ値は、単純なハッシュ値ではなく、撮影したデジタルカメラが保持している秘密鍵でハッシュ値を暗号化したものであることが好ましい。
この場合には、制御装置３は、ＲＡＷ画像ファイルから取り出したハッシュ値を上記秘密鍵に対応する公開鍵で復号化し、上記ステップ＃５において、制御装置３で求めたＲＡＷ画像のハッシュ値と比較する。すなわち、いわゆる電子署名の型式でＲＡＷ画像の改ざんを検知するのである。
【００１５】
この後、ＲＡＷ画像の現像処理を実行し、一般的なビットマップデータの画像ファイルに変換する（ステップ＃８）。
この現像処理では、いわゆるモザイク解除と称される各カラーフィルタのデータから補間処理等によってカラー画像を生成する処理の他、ホワイトバランスの調整等を行う。
ここでのモザイク解除後の画像に対する処理は、写真フィルムの撮影画像に対するカラーバランスの調整と同等の処理であり、例えばキズ画像の補正等の画像に対して実質的な改変を加える処理は行っていない。この処理は全ての画像データに対して行われるものではなく、改変が加えられていないことを確認できた画像、即ち補正不可画像に対してのみ行われる処理である。
以上の処理を６駒分の画像ファイルについて繰り返す（ステップ＃９）。
【００１６】
次ぎに、６駒分の画像データが揃うと、それらの縮小画像を生成し（ステップ＃１０）、その縮小画像を利用して操作者による画像補正の入力操作を受付ける画面を生成して（ステップ＃１１）、その画面をモニタ３２へ表示する（ステップ＃１２）。
図２では、この画像補正の入力操作を受付ける画面の例を示している。
ステップ＃１１で生成するモニタ表示画面には、Ｓ１〜Ｓ６の６つ縮小画像表示エリアにステップ＃１０で生成した縮小画像が表示されると共に、各縮小画像表示エリアに対応して、その画像の色補正を指示入力するための色補正入力欄４１が表示され、更に、表示された６駒について必要な補正指示の入力が完了したことを指令するプリント開始ボタン表示４２や、表示されている６駒の画像のいずれかを選択してその駒画像の拡大画像を表示するための１駒拡大ボタン表示４３が表示される。
【００１７】
図２の表示画面上での入力操作としては、マウス３４にて入力対象の色補正入力欄４１を指定した状態で、操作卓３３で指示内容を入力する。従って、操作卓３３及びマウス３４は、操作者からの画像処理条件の入力操作を受付ける入力操作受付部ＩＭとして機能する。
図２の表示例では、「Ｓ２」の画像が選択された状態であることを太線の破線で表示しており、又、「Ｓ３」の画像には、「この画像は補正できません」との文言を表示している。
この「この画像は補正できません」という文言は、ステップ＃４において画像補正を禁止する補正不可画像に設定されている画像について表示する文言であり、この補正不可画像では、同時に、色補正入力欄４１への操作者の入力操作を受付けない（プリント枚数の入力欄を除く）ように設定している。
【００１８】
図２の画面表示の状態で、色補正入力欄４１に色補正の指示が入力操作されると（ステップ＃２０）、その補正指示の内容に従って縮小画像を補正する画像処理を実行し、縮小画像表示エリアの画像が補正後の画像に更新される（ステップ＃２１）。
又、図２の表示画面で、何れかの縮小画像を選択した状態で、操作者が１駒拡大ボタン表示４３を押し操作すると（ステップ＃１３）、選択されている画像が上記の補正不可画像に設定されていない画像であるときは（ステップ＃１４）、図３に例示する拡大画像表示画面をモニタ３２に表示する（ステップ＃１６）。
図３の拡大画像表示画面では、図２の「Ｓ２」を選択して１駒拡大ボタン表示４３を押し操作した場合を示しており、「Ｓ２」の縮小画像よりも原画像からの縮小率を小さくした画像（縮小画像からは拡大画像）を、より詳細な補正操作のための詳細補正ボタン等表示５１、及び、補正指示の入力が完了したことを指令するＯＫボタン表示５２と共に表示している。
【００１９】
図３の画面表示においても、詳細補正ボタン等表示５１で補正指示が入力操作されると（ステップ＃１７）、その指示に従って拡大画像を補正する画像処理を実行して、表示されている拡大画像を補正後の画像に更新する（ステップ＃１８）。
操作者が、ＯＫボタン表示５２を押し操作すると（ステップ＃１９）、図２の画面表示に戻る。
【００２０】
これに対して、図２の表示例で「Ｓ３」の画像を選択して１駒拡大ボタン表示４３を押し操作した場合のように、ステップ＃１４での判断で、選択されている画像が上記の補正不可画像に設定されていると判断したときは、図示を省略するメッセージ表示ウィンドウで「選択されている画像は補正できません」というメッセージを表示して（ステップ＃１５）、図３の画像補正を受付ける画面表示は行わない。
このように図３の画面表示を行わないことや、図２の色補正入力欄４１で入力操作を受付けないようにすることで、ＲＡＷ画像ファイルのＲＡＷ画像に改変が加えられていないことを確認するための補助データが存在するときに、入力操作受付部ＩＭからの入力操作に基づく画像処理条件でのＲＡＷ画像に基づく画像に対する画像処理を禁止している。
【００２１】
操作者が、図２及び図３に例示する画面表示での必要な画像補正の入力操作を完了してプリント開始ボタン表示４２を押し操作すると（ステップ＃２２）、図２及び図３の画面表示で設定された画像補正の条件（画像処理条件）で、上記の縮小画像の基となった原画像を画像処理し（ステップ＃２３）、画像処理後の画像データをプリント処理部ＥＰの露光制御装置２２へ送る（ステップ＃２４）。
このとき、ハッシュ値が存在するＲＡＷ画像ファイルの画像については、ステップ＃６及びステップ＃７での記憶情報に基づいて、改変が加えられていない画像に対してはそれを示す情報を補正処理後の画像データに添付し、改変が加えられている画像に対してはそれを示す情報を補正処理後の画像データに添付して送信する。
【００２２】
これらの制御装置３からの送信データを受け取った露光制御装置２２は、受け取った画像データに基づいて印画紙１上へ画像形成ヘッド２１にてプリント形成させ、更に、上記の改変された画像か否かの情報が付属している画像については、図示を省略する印字装置で、その情報に対応するものとして設定されている文言を印画紙１の画像形成面と反対側の裏面にプリントする。
具体的には、改変されていない画像であるとの情報に対しては、「この画像は改ざんされていません」という文言を改変が加えられていないことを示す情報としてプリントし、改変された画像であるとの情報に対しては、「補正あり」という文言をプリントする。
更には、何らかの証拠写真として利用する場合には、改変されていない画像であるとの情報に対しては「証拠写真」という文言をプリントし、改変された画像であるとの情報に対しては何もプリントしないというような設定でも良い。
【００２３】
以上の６駒単位での画像の補正処理を、１つのプリントオーダ全てについて完了すると（ステップ＃２５）、処理を終了する。
以上のように、制御装置３は、入力された画像データを画像処理する画像処理演算部ＩＰとして機能すると共に、入力操作受付部ＩＭ（操作卓３３及びマウス３４）から入力された画像処理条件によって画像処理演算部ＩＰにて画像処理させる画像処理管理手段ＰＣとしても機能する。
【００２４】
〔別実施形態〕
以下、本発明の別実施形態を列記する。
（１）上記実施の形態では、ＲＡＷ画像ファイルに含まれるハッシュ値と、ＲＡＷ画像ファイルのＲＡＷ画像から求めたハッシュ値とを比較することで改変された画像か否かを確認しているが、例えば、適宜のデータをステガノグラフィ方式等によってＲＡＷ画像の画像データに埋め込んでおき、その埋め込んだデータが壊れているか否かによって、画像が改変されたか否かを確認するように構成しても良い。
（２）上記実施の形態では、ＲＡＷ画像に改変が加えられていないことを確認するための補助データをＲＡＷ画像ファイル内に格納している場合を例示しているが、ＲＡＷ画像ファイルに添付する形態で別ファイルとしてやり取りするように構成しても良い。
（３）上記実施の形態では、ＲＡＷ画像に改変が加えられていないことを確認できたときに、プリント処理部ＥＰにおいて、改変が加えられていないことを示す情報を印画紙１の画像形成面の裏面にプリント処理させる場合を例示しているが、上記実施の形態と同様な文言等を、画像処理演算部ＩＰにて画像処理された画像に画像合成して、その合成画像を露光制御装置２２へ出力し、印画紙１の画像形成面にプリント処理させるようにしても良い。
更には、画像処理演算部ＩＰとして機能する制御装置３から出力された画像をモニタ等の表示手段に表示させる場合には、その画像の画像データに添付される状態で出力される「画像に改変が加えられているか否かを示す情報」に基づいて、その情報を示す文言等を表示画像に重ね合わせて、あるいは、表示画像とは別の位置に表示させるようにしても良い。
（４）上記実施の形態では、プリント処理部ＥＰの構成として、印画紙１に画像を露光形成する型式の装置を例示しているが、例えば、インクジェット式のプリント装置やあるいは昇華型のプリント装置を用いる等、プリント処理のための装置構成は適宜に変更可能である。
【図面の簡単な説明】
【００２５】
【図１】本発明の実施の形態にかかる画像プリントシステムの全体構成図
【図２】本発明の実施の形態にかかるモニタ画面表示例
【図３】本発明の実施の形態にかかるモニタ画面表示例
【図４】本発明の実施の形態にかかるフローチャート
【図５】本発明の実施の形態にかかるフローチャート
【符号の説明】
【００２６】
ＥＰ  プリント処理部
ＩＭ  入力操作受付部
ＩＰ  画像処理演算部
ＰＣ  画像処理管理手段
ＳＥ  画像形成部材
【図１】
2009253707.tif 000003
【図２】
2009253707.tif 000004
【図３】
2009253707.tif 000005
【図４】
2009253707.tif 000006
【図５】
2009253707.tif 000007